【手続補正書】
【提出日】平成16年8月6日(2004.8.6)
【手続補正１】
【補正対象書類名】明細書
【補正対象項目名】全文
【補正方法】変更
【補正の内容】
【書類名】        明細書
【発明の名称】    パチンコ機
【特許請求の範囲】
【請求項１】  遊技領域に設けられて、一定条件下で開放されて遊技者に有利な状態となる変動入賞装置と、
前記変動入賞装置内に設けられて、入賞した場合には、該変動入賞装置が閉成後再度開放される特別入賞口とを備えたパチンコ機において、
前記特別入賞口の上側に設けられて左上方向及び真上方向からのパチンコ球の入賞を阻む入賞阻害手段と、
前記特別入賞口に入賞した場合には、この入賞した時点で変動入賞装置を閉成してその回の開放を終了し、次の回の開放をするように制御する制御手段と、を備え、
前記変動入賞装置は、大入賞口から構成され、前記特別入賞口は、前記大入賞口内の左右水平方向の右端縁部に設けられることを特徴とするパチンコ機。
【請求項２】  遊技領域に設けられて、一定条件下で開放されて遊技者に有利な状態となる変動入賞装置と、
前記変動入賞装置内に設けられて、入賞した場合には、該変動入賞装置が閉成後再度開放される特別入賞口とを備えたパチンコ機において、
前記特別入賞口の上側に設けられて左上方向及び真上方向からのパチンコ球の入賞を阻む入賞阻害手段と、
前記特別入賞口に入賞した場合には、この入賞した時点で変動入賞装置を閉成してその回の開放を終了し、次の回の開放をするように制御する制御手段と、を備え、
前記変動入賞装置は、主入賞口と、前記主入賞口の左右水平方向の右側に設けられて該主入賞口の開閉に合わせて開閉される従入賞口とから構成され、
前記特別入賞口は、前記従入賞口の内部に設けられることを特徴とするパチンコ機。
【請求項３】  前記入賞阻害手段は、遊技領域に打設される釘によって構成されていることを特徴とする請求項１又は請求項２に記載のパチンコ機。
【請求項４】  前記入賞阻害手段は、構造物により構成されることを特徴とする請求項１乃至請求項３いずれかに記載のパチンコ機。
【発明の詳細な説明】
【０００１】
【発明の属する技術分野】
本発明は、一定条件下で開放される変動入賞装置と、この変動入賞装置内に設けられて、入賞した場合には、該変動入賞装置が閉成後再度開放される特別入賞口とを備えたパチンコ機に関し、特に、変動入賞装置の内部に設けられる特別入賞口の上側に所定方向からの入賞を阻害する入賞阻害手段を設けると共に、この特別入賞口に入賞した場合には、その回の変動入装置の開放を終了して、次の回の開放をすることにより、遊技者の技量によって多くの出球を獲得できるため、従来にない遊技の態様を実現することができ、遊技者の興味を引きつけ興趣を増大させることができるパチンコ機に関するものである。
【０００２】
【従来の技術】
従来より、パチンコ球が始動入賞口に入賞すると、遊技領域のほぼ中央に設けられたＣＲＴ（Cathode Ray Tube）やＬＣＤ（Liquid Crystal Display）等を用いた種々の特別図柄表示装置に表示されている変動図柄が変動を開始し、一定時間経過した後に表示された図柄が一定確率で揃うと、大当りとして大入賞口が所定回数続けて開くとともに特別図柄表示装置に大当り映像が表示されるパチンコ機（第一種パチンコ機）がある。
この種のパチンコ機では、大入賞口内に固定された特別入賞口（以下、「Ｖゾーン」という。）が設けられ、このＶゾーンへの入賞により大入賞口の開放が継続される。しかし、Ｖゾーンは固定されているため、大入賞口内の部材の動きやそれに伴うパチンコ球の転動状態の変化が単調になって飽き易く、遊技としての面白味の点で改善の余地があり、この改善を目的とした種々のパチンコ機が提案されている。
【０００３】
例えば、特開昭６４−４９５８８号公報に記載のパチンコ遊技機においては、遊技盤面に設けられた特定入賞口への入賞その他の条件が達成されたとき一定時間遊技者に有利な開成状態となる変動入賞装置を備えたパチンコ遊技機において、遊技盤面上の複数の特定入賞領域に対応した位置に表示器を配置し、変動入賞装置が開成状態となっているとき、遊技盤面上に打ち出された遊技球が、前記特定入賞領域のいずれかに対応する表示器が所定の表示動作をしている間に当該特定入賞領域を通った場合には、変動入賞装置を所定の条件下で開成する動作の終了後再び該動作を行うように構成している。
これにより、変動入賞装置の開成動作中、複数の特定領域は、各々に対応する表示器が所定の表示動作をしている間だけＶゾーンとなり、それ以外は通常の入賞領域として機能するため、変動入賞装置等の構造を複雑化することなく、Ｖゾーンを表示し且つその位置を時間と共に変化させることにより、遊技者にＶ継続状態を認識させると同時に飽きの来ないＶ継続遊技を与えることができる。
【０００４】
【発明が解決しようとする課題】
しかしながら、前記特開昭６４−４９５８８号公報に記載されたパチンコ遊技機では、変動入賞装置が開成状態となっている場合に、遊技球が何れの特別入賞口に入るかは、変動入賞装置の内部の構造のみによって規制されるため、遊技者の技量を生かせることができず、初心者もベテランの遊技者も同程度の出球を獲得でき、「大当たり」の遊技状態が単調になるという問題がある。
【０００５】
そこで、本発明は、上述した問題点を解決するためになされたものであり、変動入賞装置の内部に設けられる特別入賞口の上側に所定方向からの入賞を阻害する入賞阻害手段を設けると共に、この特別入賞口に入賞した場合には、その回の変動入装置の開放を終了して、次の回の開放をすることにより、遊技者の技量によって多くの出球を獲得できるため、従来にない遊技の態様を実現することができると共に、遊技者の興味を引きつけ興趣を増大させることができるパチンコ機を提供することを目的とする。
【０００６】
【課題を解決するための手段】
前記目的を達成するために、請求項１に係るパチンコ機は、遊技領域に設けられて、一定条件下で開放されて遊技者に有利な状態となる変動入賞装置と、前記変動入賞装置内に設けられて、入賞した場合には、該変動入賞装置が閉成後再度開放される特別入賞口とを備えたパチンコ機において、前記特別入賞口の上側に設けられて左上方向及び真上方向からのパチンコ球の入賞を阻む入賞阻害手段と、前記特別入賞口に入賞した場合には、この入賞した時点で変動入賞装置を閉成してその回の開放を終了し、次の回の開放をするように制御する制御手段と、を備え、前記変動入賞装置は、大入賞口から構成され、前記特別入賞口は、前記大入賞口内の左右水平方向の右端縁部に設けられることを特徴とする。
【０００７】
このような特徴を有する請求項１に係るパチンコ機においては、一定条件下で開放される変動入賞装置は大入賞口から構成され、この大入賞口内の左右水平方向の右端縁部には、この変動入賞装置の開放回数を継続するための特別入賞口が設けられている。また、この特別入賞口の上側には、左上方向及び真上方向からのパチンコ球の入賞を阻む入賞阻害手段が設けられている。そして、特別入賞口に入賞した場合には、この入賞した時点で変動入賞装置が閉成されてその回の開放を終了し、次の回の開放をするように制御される。
これにより、遊技者は、大入賞口に所定個数入賞するまでは前記特別入賞口の左上方向又は真上方向からパチンコ球が転動落下するように発射ハンドルを操作し、その後は、該特別入賞口の右上方向からパチンコ球が転動落下するように発射ハンドルを操作する必要があるため、遊技者の技量により出球の獲得量に大きな差が生じて、従来にない遊技の態様を実現することができる。また、遊技者は、技量の向上と共に多くの出球を獲得することができるため、多くの出球獲得に対して大きな達成感を味わうことができ、遊技者の興味をより強く引きつけ興趣を増大させることができる。また、遊技店においては、特別入賞口に入賞した場合には、この入賞した時点で変動入賞装置を閉成してその回の開放を終了し、次の回の開放をするように制御されて、遊技者の技量によっては「大当たり」時の獲得出球が少なくなるため、釘調整によって「大当たり」の発生確率を高くすることができ、遊技者に楽しんでもらいながら、出球を多くし、且つ遊技意欲を向上させて多くの遊技者に来店してもらうことで、遊技店の全体利益を多くし、結局、両者の利益バランスを図ることができる。
【０００８】
また、請求項２に係るパチンコ機は、遊技領域に設けられて、一定条件下で開放されて遊技者に有利な状態となる変動入賞装置と、前記変動入賞装置内に設けられて、入賞した場合には、該変動入賞装置が閉成後再度開放される特別入賞口とを備えたパチンコ機において、前記特別入賞口の上側に設けられて左上方向及び真上方向からのパチンコ球の入賞を阻む入賞阻害手段と、前記特別入賞口に入賞した場合には、この入賞した時点で変動入賞装置を閉成してその回の開放を終了し、次の回の開放をするように制御する制御手段と、を備え、前記変動入賞装置は、主入賞口と、前記主入賞口の左右水平方向の右側に設けられて該主入賞口の開閉に合わせて開閉される従入賞口とから構成され、前記特別入賞口は、前記従入賞口の内部に設けられることを特徴とする。
【０００９】
このような特徴を有する請求項２に係るパチンコ機においては、一定条件下で開放される変動入賞装置は、主入賞口と、主入賞口の左右水平方向の右側に設けられて該主入賞口の開閉に合わせて開閉される従入賞口とから構成されている。また、この従入賞口の内部には、主入賞口及び従入賞口の開放回数を継続するための特別入賞口が設けられている。また、この特別入賞口の上側には、左上方向及び真上方向からのパチンコ球の入賞を阻む入賞阻害手段が設けられている。そして、特別入賞口に入賞した場合には、この入賞した時点で主入賞口及び従入賞口が閉成されてその回の開放を終了し、次の回の開放をするように制御される。
これにより、遊技者は、主入賞口に所定個数入賞するまでは前記特別入賞口の左上方向又は真上方向からパチンコ球が転動落下するように発射ハンドルを操作し、その後は、該従入賞口の右上方向からパチンコ球が転動落下するように発射ハンドルを操作する必要があるため、遊技者の技量により出球の獲得量に大きな差が生じて、従来にない遊技の態様を実現することができる。また、遊技者は、技量の向上と共に多くの出球を獲得することができるため、多くの出球獲得に対して大きな達成感を味わうことができ、遊技者の興味をより強く引きつけ興趣を増大させることができる。また、遊技店においては、特別入賞口に入賞した場合には、この入賞した時点で主入賞口及び従入賞口を閉成してその回の開放を終了し、次の回の開放をするように制御されて、遊技者の技量によっては「大当たり」時の獲得出球が少なくなるため、釘調整によって「大当たり」の発生確率を高くすることができ、遊技者に楽しんでもらいながら、出球を多くし、且つ遊技意欲を向上させて多くの遊技者に来店してもらうことで、遊技店の全体利益を多くし、結局、両者の利益バランスを図ることができる。
【００１０】
また、請求項３に係るパチンコ機は、請求項１又は請求項２に記載のパチンコ機において、前記入賞阻害手段は、遊技領域に打設される釘によって構成されていることを特徴とする。
【００１１】
このような特徴を有する請求項３係るパチンコ機では、請求項１又は請求項２に記載のパチンコ機において、入賞阻害手段は、遊技領域に打設される釘によって構成されているため、簡単な構成となり、製造コストの削減化及び製品の信頼性の向上を図ることができる。
【００１２】
さらに、請求項４に係るパチンコ機は、請求項１乃至請求項３のいずれかに記載のパチンコ機において、前記入賞阻害手段は、構造物により構成されることを特徴とする。
【００１３】
このような特徴を有する請求項４に係るパチンコ機では、請求項１乃至請求項３のいずれかに記載のパチンコ機において、入賞阻害手段は、構造物により構成されるため、構成が簡単になり、製造コストの削減化及び製品の信頼性の向上を図ることができる。
【００１４】
【発明の実施の形態】
以下、本発明に係るパチンコ機について具体化した第１乃至第３実施の形態を図面を参照して詳細に説明する。先ず、第１実施形態に係るパチンコ機の全体構成について図１に基づいて説明する。図１は第１実施形態に係るパチンコ機の全体を示した正面図である。但し、図１では、遊技盤上のキャラクタ図柄等は省略している。
図１において、パチンコ機１は、いわゆる第一種パチンコ機である。パチンコ機１は、後述する入賞口、特別図柄表示装置、電動役物及び、ゲート等の各種構造物が遊技盤２上に配設されている。その遊技盤２の下には、不図示の樋を介して排出される賞球を受ける上部受け皿３がスピーカ３ａを内蔵してプレート４に配設されている。そして、その上部受け皿３の下には、下部受け皿５が配設される。また、上部受け皿３に連通する不図示の球送り機構を介して上部受け皿３のパチンコ球が発射ハンドル６に連結された不図示の発射装置へ送られるよう構成されている。また、遊技盤２の裏面には特別図柄表示装置等を制御する制御回路部２０（図３参照）が設けられている。また、遊技盤２の両肩部には、賞球及び球切れ表示ランプ１０、１０が設けられている。
【００１５】
一方、遊技盤２の前側は、鋼板やステンレス等の金属製のガラス扉９により被覆されており、該ガラス扉９は、枠体の前側にヒンジ部材等を介して開閉自在に取り付けられている前面枠に開閉自在に取り付けられている。また、ガラス扉９には開口部を有する鋼板やステンレス等の金属製のガラス保持枠がスポット溶接等により固着されており、該ガラス保持枠に装着された２枚のガラスを通して遊技領域を見ることができる。また、ガラス扉９の上部には、遊技中のエラーを表示するエラー表示ランプ７やガラス扉９の上部及び右側には、「当り」を表示する当り表示ランプ８、８が取り付けられている。
【００１６】
また、パチンコ機１における遊技盤２上の遊技領域の構成について説明する。この遊技領域は、所定厚さの板材をなした遊技盤２上に入賞口等の各構造物が所定の位置に取り付けられ、それを囲むように環状のレール１１が取り付けられて構成されている。このレール１１は、発射されたパチンコ球を遊技領域内に案内する重複して形成した案内路１５を構成し、右肩部にはレール１１に沿って打ち込まれるパチンコ球の進行を制限するための段差部１６を有する。そして、その段差部１６には軸支された返しゴム（図示されていない）が配設されている。
また、遊技領域のほぼ中央には、特別図柄表示装置である液晶表示器１２が取り付けられている。この液晶表示器１２は、左、中、右に３つの変動図柄を表示する液晶パネルであって、遊技盤２の裏面側から取り付けられている。
【００１７】
液晶表示器１２の上方の中心線上に入賞口１８が設けられている。入賞口１８の上には、イメージキャラクタである加藤茶のキャラクタ図柄が描かれている。この入賞口１８に入賞すると、所定の個数の賞球が上部受け皿３に払い出される。そして、液晶表示器１２の下方の中心線上に第一種始動口１９が設けられている。この第一種始動口１９に入賞すると液晶表示器１２に表示されている変動図柄群が変動する。
また、変動図柄が変動中に第一種始動口１９に入賞した場合には、入賞個数が４個まで後述するＲＡＭ２７の保留カウンタ２７Ｄ（図３参照）に記憶されて変動確定回数として保留される。そして、液晶表示器１２の下端部には、この保留カウンタ２７Ｄに記憶されているカウント値が表示される４個の保留ＬＥＤ１３が設けられている。
さらに、液晶表示器１２の下方には、下方入賞口である大入賞口１７が設けられている。大入賞口１７は、液晶表示器１２において変動図柄が揃って「大当り」が発生したとき等に開閉する扉構造を有している。
【００１８】
次に、大入賞口１７の概略構成及び入賞球の経路について図２に基づいて説明する。図２は第１実施形態に係るパチンコ機１の大入賞口１７が開放された場合における、この大入賞口１７への入賞球の経路の一例を示す要部を拡大した正面図である。
図２に示すように、大入賞口１７の内部の左右水平方向の右端縁部の近傍位置には、仕切り壁２４Ｂが設けられ、この仕切り壁２４Ｂと大入賞口１７の右内側面とによって特別入賞口（以下、「Ｖゾーン」という。）２４が形成されている。これにより、「大当たり」となって、大入賞口１７の扉１７Ａが開放された場合には、このＶゾーン２４には、上方からのみ入賞可能な構成になっている。
また、このＶゾーン２４の裏側には、Ｖゾーン２４への入賞球の通過を検出するＶゾーン通過スイッチ２４Ａが設けられている。
【００１９】
また、大入賞口１７の左右内側面からは、内側斜め下方向に延出される案内リブ１７Ｂが延出され、この案内リブ１７Ｂの内側端縁部には、大入賞口１７への入賞球の通過をカウントするカウントスイッチ２３が設けられている。
【００２０】
更に、Ｖゾーン２４の左端部と右端部の各々の上側から右斜め上方向に各釘４０Ａ、４０Ｂが、打設され、パチンコ球が１個だけ、右斜め上方向からＶゾーン２４の入口に転動落下できるように構成されている。
【００２１】
このように構成された大入賞口１７への各パチンコ球４１、４２、４３、４４の経路について説明する。先ず、左上方向から落下してきたパチンコ球４１は、一点鎖線の矢印４１Ａ、４１Ｂに示すように大入賞口１７の左上方向から大入賞口１７に入賞する。また、第一種始動口１９の左側から落下してきたパチンコ球４２は、一点鎖線の矢印４２Ａに示すように大入賞口１７のほぼ中央部の上方向から大入賞口１７に入賞する。また、パチンコ球４３は、一点鎖線の矢印４３Ａに示すように大入賞口１７のほぼ中央部の上方向から大入賞口１７に入賞する場合や、一点鎖線の矢印４３Ｂ、４３Ｃに示すように、各釘４０Ａの上側に沿って大入賞口１７の右上方向から大入賞口１７に入賞する。更に、Ｖゾーン２４の右上の方向から転動落下するパチンコ球４４は、一点鎖線の矢印４４Ａに示すように、各釘４０Ａ、４０Ｂの間を通過してＶゾーン２４に上方向から入賞する。このため、Ｖゾーン２４に入賞させるためには、発射されたパチンコ球が各釘４０Ａ、４０Ｂの間を通過するように発射ハンドル６を操作する必要がある。
【００２２】
次に、このように構成されたパチンコ機１の大入賞口１７の開放動作等を制御する制御回路部２０の構成について図３に基づき詳細に説明する。図３は第１実施形態に係るパチンコ機１の制御回路部２０のシステム構成を示すブロック図である。
図３に示すように、制御回路部２０には、制御回路部２０の全体を制御するＣＰＵ２１と、後述する制御プログラムや制御処理に必要なデータ等を格納しておくＲＯＭ３５と、後述の各種制御処理データ等を格納しておくＲＡＭ２７と、入力ポート２６及び出力ポート２８が設けられ、このＣＰＵ２１、ＲＯＭ３５、ＲＡＭ２７、入力ポート２６及び出力ポート２８はバス線２９で相互に接続されている。また、ＣＰＵ２１には、所定のクロック信号を出力するクロック回路３０が接続されている。
また、入力ポート２６には、第一種始動口１９に設けられて入賞球を検出する第一種始動口スイッチ２２、大入賞口１７の内部に設けられて大入賞口１７への入賞球のカウントを行うカウントスイッチ２３、大入賞口１７の内部に設けられて大入賞口１７の開放を継続するためのＶゾーン２４への入賞球の検出を行うＶゾーン通過スイッチ２４Ａ、及びパチンコ機１の裏側に設けられ変動図柄の大当り発生確率を切換スイッチ等で設定変更する確率設定装置２５等が接続されている。
さらに、出力ポート２８には、液晶表示器１２への図柄表示を行う液晶表示器駆動回路３１、大入賞口１７の扉１７Ａの開閉用ソレノイド３６を駆動するソレノイド駆動回路３２、保留ＬＥＤ１３等を駆動するＬＥＤ駆動回路３３、及びエラー表示ランプ７、当り表示ランプ８、賞球切れ表示ランプ１０等を駆動するランプ駆動回路３４が接続されている。
【００２３】
また、ＲＡＭ２７には、クロック回路３０から入力されるクロック信号に基づいて０から１９９まで繰り返し１ずつ加算した数値（最大値１９９の次には最小値０に戻る）が格納される大当りカウンタ２７Ａ、カウントスイッチ２３の入賞球検出信号に基づいて大入賞口１７に入賞した入賞個数をカウントする入賞カウンタ２７Ｂ、「大当たり」時の大入賞口１７の扉１７Ａの開放回数Ｎをカウントする開放カウンタ２７Ｃ、及び変動図柄が変動中に第一種始動口１９に入賞した入賞個数が最大４個までカウントされる保留カウンタ２７Ｄ等が設けられている。
尚、大当たりカウンタ２７Ａのカウント値は、起動時に「０」にセットされる。また、入賞カウンタ２７Ｂのカウント値は、起動時及び大入賞口１７の扉１７Ａが閉鎖される毎に「０」にセットされる。また、保留カウンタ２７Ｄは、変動図柄が停止する毎に１減算される。
【００２４】
ここで、大入賞口１７、ソレノイド３６、及びソレノイド駆動回路３２等が変動入賞装置を構成する。また、Ｖゾーン２４が特別入賞口として機能する。各釘４０Ａ、４０Ｂが入賞阻害手段を構成する。また、制御回路部２０、カウントスイッチ２３、Ｖゾーン通過スイッチ２４Ａ及びソレノイド駆動回路３２等が制御手段を構成する。
【００２５】
次に、このように構成された制御回路部２０の「大当たり」時における大入賞口１７の開放制御処理について図４に基づいて説明する。図４は第１実施形態に係るパチンコ機１の「大当たり」時における大入賞口１７の開放制御処理を示すフローチャートである。
図４に示すように、先ず、ステップ（以下、Ｓという。）１において、ＣＰＵ２１は、第一種始動口１９に入賞した場合は、即ち第一種始動口スイッチ２２からのパチンコ球の通過検出信号が入力ポート２６を介して入力された場合は、「大当たり」か否かの判定処理を行う。
この「大当たり」か否かの判定処理は、先ず、ＣＰＵ２１は、第一種始動口スイッチ２２から入賞の信号が入力されたときの大当りカウンタ２７Ａのカウント値をその時の「大当りカウント値」として代数Ｖに代入してＲＡＭ２７に記憶する。続いて、再度、ＲＡＭ２７から「大当りカウント値」である代数Ｖを読み出して、この代数Ｖが、予めＲＯＭ３５に記憶されている「大当り数値」（第１実施形態の場合は、「７」）と一致するかどうか判定する。したがって、第１実施形態の場合は、「大当り」の発生確率は１／２００である。
そして、この代数Ｖと「大当たり数値」とが一致しない場合には、「ハズレ」と判定して、第一種始動口１９への入賞を再度待つ（Ｓ１：ＮＯ）。
【００２６】
一方、この代数Ｖと「大当たり数値」とが一致した場合には、「大当たり」が発生したと判定して（Ｓ１：ＹＥＳ）、Ｓ２において、ＲＡＭ２７の開放カウンタ２７Ｃから開放カウント値Ｎを読み出し、この開放カウント値Ｎに「１」を代入して再度開放カウンタ２７Ｃに記憶する。
【００２７】
続いて、Ｓ３において、大入賞口１７の扉１７Ａが、ソレノイド駆動回路３２及びソレノイド３６を介して開放される。また、ＣＰＵ２１は、カウントスイッチ２３から入賞球の通過信号が入力された場合には、ＲＡＭ２７の入賞カウンタ２７Ｂから入賞カウント値Ｃを読み出し、この入賞カウント値Ｃに「１」加算して再度入賞カウンタ２７Ｂに記憶する処理を開始する。また、ＣＰＵ２１は、クロック回路３０からの入力信号に基づいて大入賞口１７の開放後の経過時間測定処理を開始する。
【００２８】
次に、Ｓ４において、Ｖゾーン２４への入賞があるか否か判定する。即ち、Ｖゾーン通過スイッチ２４Ａからパチンコ球の通過検出信号が入力されたか否か判定する。そして、Ｖゾーン２４に入賞していない場合は（Ｓ４：ＮＯ）、Ｓ５において、大入賞口１７の開放後の経過時間が、所定時間（第１実施形態では、「約３０秒」）に達しているか否か判定し、所定時間に達している場合には（Ｓ５：ＹＥＳ）、Ｓ１３において、ソレノイド駆動回路３２及びソレノイド３６を介して大入賞口１７の扉１７Ａを閉じて、「大当たり」を終了する。これにより、Ｖゾーン２４に入賞しない場合に（Ｓ４：ＮＯ）、大入賞口１７を開放してから所定時間が経過した場合には（Ｓ５：ＹＥＳ）、大入賞口１７が閉じられると共に「大当たり」が終了する（Ｓ１３）。
【００２９】
また、大入賞口１７の開放後の経過時間が、所定時間（第１実施形態では、「約３０秒」）に達していない場合には（Ｓ５：ＮＯ）、Ｓ６において、大入賞口１７に１０個入賞したか否か判定する。即ち、ＲＡＭ２７の入賞カウンタ２７Ｂから入賞カウント値Ｃを読み出し、この入賞カウント値Ｃが１０以上か否か判定する。
【００３０】
そして、大入賞口１７に１０個入賞していない場合には（Ｓ６：ＮＯ）、再度Ｓ３以降の処理を実行する。
また、大入賞口１７に１０個入賞している場合には（Ｓ６：ＹＥＳ）、Ｓ１３において、ソレノイド駆動回路３２及びソレノイド３６を介して大入賞口１７の扉１７Ａを閉じて、「大当たり」を終了する。また、ＲＡＭ２７の入賞カウンタ２７Ｂに記憶されている入賞カウント値Ｃを読み出し、この入賞カウント値Ｃに「０」を代入して再度入賞カウンタ２７Ｂに記憶する。即ち、入賞カウンタ２７Ｂを初期化する。これにより、所定時間内にＶゾーン２４に入賞しない場合に（Ｓ４：ＮＯ、Ｓ５：ＮＯ）、大入賞口１７に１０個入賞すると（Ｓ６：ＹＥＳ）、大入賞口１７が閉じられると共に「大当たり」が終了する（Ｓ１３）。
【００３１】
一方、Ｖゾーン２４に入賞した場合には（Ｓ４：ＹＥＳ）、Ｓ７において、ＣＰＵ２１は、ソレノイド駆動回路３２及びソレノイド３６を介して大入賞口１７の扉１７Ａを閉じる。そして、ＲＡＭ２７の入賞カウンタ２７Ｂに記憶されている入賞カウント値Ｃを読み出し、この入賞カウント値Ｃに「０」を代入して再度入賞カウンタ２７Ｂに記憶する。即ち、入賞カウンタ２７Ｂを初期化する。
【００３２】
また、Ｓ８において、ＣＰＵ２１は、ＲＡＭ２７の開放カウンタ２７Ｃから開放カウント値Ｎを読み出し、この開放カウント値Ｎに「１」加算して再度開放カウンタ２７Ｃに記憶する。これにより、Ｖゾーン２４に入賞した場合には（Ｓ４：ＹＥＳ）、大入賞口１７に１０個入賞していない場合でも（Ｓ６：ＮＯ）、大入賞口１７の扉１７Ａは閉じられて（Ｓ７）、その回の大入賞口１７の開放処理が終了し、「大当たり」における大入賞口１７の開放が１回行われたものとみなされる（Ｓ８）。
【００３３】
次に、Ｓ９において、ＣＰＵ２１は、ＲＡＭ２７の開放カウンタ２７Ｃから開放カウント値Ｎを読み出し、この開放カウント値Ｎが「１６」か否か判定する。そして、この開放カウント値Ｎが「１６」でない場合には（Ｓ９：ＮＯ）、再度、Ｓ３以降の処理を実行する。これにより、次の回の大入賞口１７の開放処理が行われる。
【００３４】
また、開放カウンタ２７Ｃから読み出した開放カウント値Ｎが「１６」の場合には（Ｓ９：ＹＥＳ）、Ｓ１０において、大入賞口１７の扉１７Ａが、ソレノイド駆動回路３２及びソレノイド３６を介して開放される。
【００３５】
続いて、Ｓ１１において、大入賞口１７の開放後の経過時間が、所定時間（第１実施形態では、「約３０秒」）に達しているか否か判定し、所定時間に達している場合には（Ｓ５：ＹＥＳ）、Ｓ１３において、ソレノイド駆動回路３２及びソレノイド３６を介して大入賞口１７の扉１７Ａを閉じて、「大当たり」を終了する。これにより、大入賞口１７を開放してから所定時間が経過した場合には（Ｓ１１：ＹＥＳ）、大入賞口１７が閉じられると共に「大当たり」が終了する（Ｓ１３）。
【００３６】
また、大入賞口１７の開放後の経過時間が、所定時間（第１実施形態では、「約３０秒」）に達していない場合には（Ｓ１１：ＮＯ）、Ｓ１２において、大入賞口１７に１０個入賞したか否か判定する。即ち、ＲＡＭ２７の入賞カウンタ２７Ｂから入賞カウント値Ｃを読み出し、この入賞カウント値Ｃが１０以上か否か判定する。
【００３７】
そして、大入賞口１７に１０個入賞していない場合には（Ｓ１２：ＮＯ）、再度Ｓ１０以降の処理を実行する。
また、大入賞口１７に１０個入賞している場合には（Ｓ１２：ＹＥＳ）、Ｓ１３において、ソレノイド駆動回路３２及びソレノイド３６を介して大入賞口１７の扉１７Ａを閉じて、「大当たり」を終了する。これにより、「大当たり」が発生した場合には、大入賞口１７は最大１６回開放される。また、大入賞口１７の１６回目の開放の場合には、大入賞口１７は、Ｖゾーン２４に入賞しても所定時間経過するか１０個入賞するまで閉じられない。
【００３８】
以上詳細に説明した通り第１実施形態に係るパチンコ機１では、Ｖゾーン２４は、大入賞口１７内の左右水平方向の右端縁部に形成され、上方からのみ入賞するように形成されている。そして、各釘４０Ａ、４０Ｂによりパチンコ球が１個だけ、右斜め上方向からＶゾーン２４の入口に転動落下できるように構成されている。
また、「大当たり」時において、大入賞口１７の開放中にＶゾーン２４に入賞しない状態で、所定時間経過するか１０個入賞した場合には、「大当たり」は終了する（Ｓ１：ＹＥＳ〜Ｓ４：ＮＯ、Ｓ５〜Ｓ６：ＹＥＳ、Ｓ１３）。また、大入賞口１７の開放中にＶゾーン２４に入賞した場合には、大入賞口１７を閉じてその回の開放を終了して、次の回の大入賞口１７の開放を行う（Ｓ１：ＹＥＳ〜Ｓ４：ＹＥＳ〜Ｓ９：ＮＯ）。さらに、大入賞口１７の１６回目の開放においては、大入賞口１７は、Ｖゾーン２４に入賞しても所定時間経過するか１０個入賞するまで開放されて「大当たり」は終了する。（Ｓ９：ＹＥＳ〜Ｓ１３）。
【００３９】
従って、大入賞口１７の開放後所定時間内にＶゾーン２４に入賞した場合には、この入賞した時点で大入賞口１７を閉成してその回の大入賞口１７の開放を終了し、次の回の大入賞口１７の開放をするように制御されるため、遊技者は、大入賞口１７の開放後、所定時間内において、大入賞口１７に所定個数入賞するまでは左上方向又は真上方向からパチンコ球が転動落下するように発射ハンドル６を操作し、その後は、各釘４０Ａ、４０ＢによりＶゾーン２４への入賞が阻害されない右上方向からパチンコ球が転動落下するように発射ハンドル６を操作する必要があるため、遊技者の技量により出球の獲得量に大きな差が生じて、従来にない遊技の態様を実現することができる。また、遊技者は、技量の向上と共に多くの出球を獲得することができるため、多くの出球獲得に対して大きな達成感を味わうことができ、遊技者の興味をより強く引きつけ興趣を増大させることができる。更に、遊技店においては、大入賞口１７の開放後、所定時間内にＶゾーン２４に入賞した場合には、この入賞した時点で大入賞口１７が閉成されてその回の開放が終了し、次の回の開放が開始されるように制御されて、遊技者の技量によっては「大当たり」時の獲得出球が少なくなるため、釘調整によって「大当たり」の発生確率を高くすることができ、遊技者に楽しんでもらいながら、出球を多くし、且つ遊技意欲を向上させて多くの遊技者に来店してもらうことで、遊技店の全体利益を多くし、結局、両者の利益バランスを図ることができる。
また、遊技領域に打設される各釘４０Ａ、４０ＢによってＶゾーン２４への入賞が阻害されるように構成されているため、簡単な構成となり、製造コストの削減化及び製品の信頼性の向上を図ることができる。
【００４０】
次に、第２実施形態に係るパチンコ機について説明する。第２実施形態に係るパチンコ機の概略構成及び制御回路構成は、第１実施形態に係るパチンコ機１とほぼ同じ構成であり、「大当たり」時における大入賞口の開放制御処理も第１実施形態に係るパチンコ機１の大入賞口１７の開放制御処理とほぼ同じ制御処理である。但し、第２実施形態に係るパチンコ機の大入賞口の概略構成及びこの大入賞口への入賞球の経路は、第１実施形態に係るパチンコ機１と異なる。
ここで、第２実施形態に係るパチンコ機の大入賞口の概略構成及び入賞球の経路について図５に基づいて説明する。図５は第２実施形態に係るパチンコ機の大入賞口が開放された場合における、この大入賞口への入賞球の経路の一例を示す要部を拡大した正面図である。
【００４１】
図５に示すように、大入賞口４７は、大入賞口１７と同様に、大入賞口４７の内部の左右水平方向の右端縁部の近傍位置には、仕切り壁２４Ｂが設けられ、この仕切り壁２４Ｂと大入賞口４７の右内側面とによってＶゾーン２４が形成されている。これにより、「大当たり」となって、大入賞口４７の扉４７Ａが開放された場合には、このＶゾーン２４には、上方からのみ入賞可能な構成になっている。
また、このＶゾーン２４の裏側には、Ｖゾーン２４への入賞球の通過を検出するＶゾーン通過スイッチ２４Ａが設けられている。
【００４２】
また、大入賞口４７の左右内側面からは、内側斜め下方向に延出される案内リブ４７Ｂが延出され、この案内リブ４７Ｂの内側端縁部には、大入賞口４７への入賞球の通過をカウントするカウントスイッチ２３が設けられている。
【００４３】
また、大入賞口４７の左右水平方向のほぼ中央部における上端縁部の近傍位置には、各案内リブ４７Ｃ、４７Ｃが遊技盤２に垂直に突き出して、左上方向と右上方向に延びている。また、各案内リブ４７Ｃ、４７Ｃの下端縁部には、パチンコ球が下方に落下するように開口部４７Ｄが設けられている。また、右側の案内リブ４７Ｃの右外側には、Ｖゾーン２４の左端上側から左上方向に向かって釘４８が打設されている。そして、各案内リブ４７Ｃ、４７Ｃの各上端縁部の上方には、左右上方向に各釘４９Ａ、４９Ｂが打設されている。更に、Ｖゾーン２４の右端上側から右上方向に向かって釘５０が打設されている。
【００４４】
このように構成された大入賞口４７への各パチンコ球５１、５２、５３、５４の経路について説明する。先ず、左上方向から落下してきたパチンコ球５１は、一点鎖線の矢印５１Ａ、５１Ｂに示すように大入賞口４７の左上方向から大入賞口４７に入賞する場合や、一点鎖線の矢印５１Ｃに示すように釘４９Ａの上側及び各案内リブ４７Ｃ等に沿って大入賞口４７のほぼ中央部の上方向から大入賞口４７に入賞する。また、第一種始動口１９の右側から落下してきた各パチンコ球５２、５３は、各一点鎖線の矢印５２Ａ、５３Ａに示すように、釘４９Ｂの上側及び各案内リブ４７Ｃ等に沿って大入賞口４７のほぼ中央部の上方向から大入賞口４７に入賞する。更に、右上方向から落下してきたパチンコ球５４は、釘４９Ｂの下側、釘４８の右側及び釘５０の上側等に沿って案内されてＶゾーン２４に入賞する。これにより、Ｖゾーン２４に入賞させるためには、発射されたパチンコ球が右上方向から転動落下して各釘４８、５０に沿ってＶゾーン２４の入口へ転動落下するように発射ハンドル６を操作する必要がある。
【００４５】
ここで、大入賞口４７、ソレノイド３６、及びソレノイド駆動回路３２等が変動入賞装置を構成する。また、Ｖゾーン２４が特別入賞口として機能する。また、各案内リブ４７Ｃ、４７Ｃが構造物を構成し、入賞阻害手段として機能する。また、各釘４９、４８Ｂ、５０も入賞阻害手段を構成する。また、制御回路部２０、カウントスイッチ２３、Ｖゾーン通過スイッチ２４Ａ及びソレノイド駆動回路３２等が制御手段を構成する。
【００４６】
以上詳細に説明した通り第２実施形態に係るパチンコ機では、Ｖゾーン２４は、大入賞口４７内の左右水平方向の右端縁部に形成され、上方からのみ入賞するように形成されている。また、大入賞口４７の左右水平方向のほぼ中央部における上端縁部の近傍位置には、各案内リブ４７Ｃ、４７Ｃが遊技盤２に垂直に突き出して、左上方向と右上方向に延びている。また、各案内リブ４７Ｃ、４７Ｃの下端縁部には、パチンコ球が下方に落下するように開口部４７Ｄが設けられている。また、右側の案内リブ４７Ｃの右上端部には、右上方向に向かって釘４９Ｂが打設されている。また、右側の案内リブ４７Ｃの右外側には、Ｖゾーン２４の左端上側から左上方向に向かって釘４８が打設されている。更に、Ｖゾーン２４の右端上側から右上方向に向かって釘５０が打設されている。
【００４７】
従って、大入賞口４７の開放後所定時間内にＶゾーン２４に入賞した場合には、この入賞した時点で大入賞口４７を閉成してその回の大入賞口４７の開放を終了し、次の回の大入賞口４７の開放をするように制御されるため、遊技者は、大入賞口４７の開放後、所定時間内において、大入賞口４７に所定個数入賞するまでは左上方向又は第一種始動口１９の右側付近からパチンコ球が転動落下するように発射ハンドル６を操作し、その後は、各釘４９Ｂ、４８、５０によりＶゾーン２４への入賞が阻害されない右上方向からパチンコ球が転動落下するように発射ハンドル６を操作する必要があるため、遊技者の技量により出球の獲得量に大きな差が生じて、従来にない遊技の態様を実現することができる。また、遊技者は、技量の向上と共に多くの出球を獲得することができるため、多くの出球獲得に対して大きな達成感を味わうことができ、遊技者の興味をより強く引きつけ興趣を増大させることができる。更に、遊技店においては、Ｖゾーン２４に入賞した場合には、この入賞した時点で大入賞口４７が閉成されてその回の開放が終了し、次の回の開放が開始されるように制御されて、遊技者の技量によっては「大当たり」時の獲得出球が少なくなるため、釘調整によって「大当たり」の発生確率を高くすることができ、遊技者に楽しんでもらいながら、出球を多くし、且つ遊技意欲を向上させて多くの遊技者に来店してもらうことで、遊技店の全体利益を多くし、結局、両者の利益バランスを図ることができる。
また、遊技領域に打設される各案内リブ４７Ｃ、４７Ｃ及び各釘４８、４９Ｂ、５０によってＶゾーン２４への入賞が阻害されるように構成されているため、簡単な構成となり、製造コストの削減化及び製品の信頼性の向上を図ることができる。
【００４８】
次に、第３実施形態に係るパチンコ機について説明する。第３実施形態に係るパチンコ機の概略構成は、第１実施形態に係るパチンコ機１とほぼ同じ構成である。但し、第３実施形態に係るパチンコ機は、第１実施形態に係るパチンコ機１の大入賞口１７に代えて、主入賞口６１及び従入賞口６２が設けられている。この主入賞口６１及び従入賞口６２の概略構成及び入賞球の経路について図６に基づいて説明する。図６は第３実施形態に係るパチンコ機の主入賞口６１及び従入賞口６２が開放された場合における、各主入賞口６１及び従入賞口６２への入賞球の経路の一例を示す要部を拡大した正面図である。
【００４９】
図６に示すように、大入賞口１７に代えて、左側に主入賞口６１が設けられ、右側に従入賞口６２が設けられている。また、従入賞口６２の内部の左右水平方向のほぼ中央部近傍位置には各仕切り壁６３、６４がパチンコ球の直径寸法より少し大きい幅寸法で設けられ、Ｖゾーン６５が形成されている。これにより、「大当たり」となって主入賞口６１及び従入賞口６２の各扉６１Ａ、６２Ａが開放された場合には、このＶゾーン６５には、上方からのみ入賞可能な構成になっている。
また、このＶゾーン６５の裏側には、Ｖゾーン６５への入賞球の通過を検出するＶゾーン通過スイッチ６５Ａが設けられている。
【００５０】
また、主入賞口６１及び従入賞口６２の各々の左右内側面からは、内側斜め下方向に延出される各案内リブ６１Ｂ、６１Ｂ、６２Ｂ、６２Ｂが延出され、この各案内リブ６１Ｂ、６１Ｂ、６２Ｂ、６２Ｂの内側端縁部には、主入賞口６１への入賞球の通過をカウントする第１カウントスイッチ６６、及び従入賞口６２への入賞球の通過をカウントする第２カウントスイッチ６７が設けられている。
【００５１】
更に、従入賞口６２の上方には、この従入賞口６２の左端部の上方から右斜め上方向に各釘６８、６９が打設され、右斜め上方向からのみ従入賞口６２にパチンコ球が転動落下できるように構成されている。
【００５２】
このように構成された主入賞口６１と従入賞口６２に入賞する各パチンコ球７１、７２、７３、７４の経路について説明する。先ず、左上方向から落下してきた各パチンコ球７１、７２は、各一点鎖線の矢印７１Ａ、７２Ａ、７２Ｂ、７２Ｃに示すように主入賞口６１に入賞する。また、第一種始動口１９の右上側から落下してきたパチンコ球７３は、一点鎖線の矢印７３Ａに示すように、釘６９の上側に沿って第一種始動口１９の下側を通過して主入賞口６１の左端部の上方向から主入賞口６１に入賞する。また、右上方向から転動落下してきたパチンコ球７４は、一点鎖線の矢印７４Ａに示すように各釘６９、６８の下側に沿って転動落下した場合には、従入賞口６２の左端部の上方向から従入賞口６２に入賞する。また、右上方向から転動落下してきたパチンコ球７４は、一点鎖線の矢印７４Ｂに示すように転動落下した場合には、Ｖゾーン６５に上方向から入賞する。更に、右上方向から転動落下してきたパチンコ球７４は、一点鎖線の矢印７４Ｃに示すように転動落下した場合には、従入賞口６２の右端部の上方向から従入賞口６２に入賞する。これにより、Ｖゾーン６５に入賞させるためには、発射されたパチンコ球が従入賞口６２の右上方向から転動落下すると共に、一点鎖線の矢印７４Ｂの経路等に沿って転動落下するように発射ハンドル６を操作する必要がある。
【００５３】
次に、このように構成されたパチンコ機の主入賞口６１及び従入賞口６２の開放動作等を制御する制御回路部２０の構成について図７に基づき詳細に説明する。図７は第３実施形態に係るパチンコ機の制御回路部２０のシステム構成を示すブロック図である。
図７に示すように、第３実施形態に係るパチンコ機の制御回路部２０のシステム構成は、第１実施形態に係るパチンコ機の制御回路部２０のシステム構成とほぼ同じである。
但し、入力ポート２６には、主入賞口６１内に設けられて主入賞口６１への入賞球のカウントを行う第１カウントスイッチ６６、従入賞口６２内に設けられて従入賞口６２への入賞球のカウントを行う第２カウントスイッチ６７、及び従入賞口６２の内部に設けられて主入賞口６１及び従入賞口６２の開放を継続するためのＶゾーン６５への入賞球の検出を行うＶゾーン通過スイッチ６５Ａ等が接続されている。
また、出力ポート２８に接続されるソレノイド駆動回路３２には、主入賞口６１の扉６１Ａを開閉するための第１ソレノイド７５と、従入賞口６２の扉６２Ａを開閉するための第２ソレノイド７６とが接続されている。
さらに、ＲＡＭ２７の入賞カウンタ２７Ｂは、第１カウントスイッチ６６と第２カウントスイッチ６７との入賞検出信号に基づいて、主入賞口６１と従入賞口６２とに入賞した入賞球の合計個数をカウントする。尚、入賞カウンタ２７Ｂのカウント値は、起動時及び主入賞口６１及び従入賞口６２の各扉６１Ａ、６２Ａが閉鎖される毎に「０」にセットされる。
【００５４】
ここで、主入賞口６１、従入賞口６２、ソレノイド駆動回路３２、第１ソレノイド７５及び第２ソレノイド７６等が変動入賞装置を構成する。また、従入賞口６２内に設けられるＶゾーン６５が特別入賞口として機能する。各釘６８、６９等が入賞阻害手段を構成する。また、制御回路部２０、第１カウントスイッチ６６、第２カウントスイッチ６７、Ｖゾーン通過スイッチ６５Ａ及びソレノイド駆動回路３２等が制御手段を構成する。
【００５５】
次に、このように構成された制御回路部２０の「大当たり」時における主入賞口６１及び従入賞口６２の開放制御処理について図８に基づいて説明する。図８は第３実施形態に係るパチンコ機の「大当たり」時における主入賞口６１及び従入賞口６２の開放制御処理を示すフローチャートである。
図８に示すように、先ず、Ｓ１５において、ＣＰＵ２１は、第一種始動口１９に入賞した場合は、即ち第一種始動口スイッチ２２からのパチンコ球の通過検出信号が入力ポート２６を介して入力された場合は、「大当たり」か否かの判定処理を行う。
この「大当たり」か否かの判定処理は、先ず、ＣＰＵ２１は、第一種始動口スイッチ２２から入賞の信号が入力されたときの大当りカウンタ２７Ａのカウント値をその時の「大当りカウント値」として代数Ｖに代入してＲＡＭ２７に記憶する。続いて、再度、ＲＡＭ２７から「大当りカウント値」である代数Ｖを読み出して、この代数Ｖが、予めＲＯＭ３５に記憶されている「大当り数値」（第３実施形態の場合は、「７」）と一致するかどうか判定する。したがって、第３実施形態の場合は、「大当り」の発生確率は１／２００である。
そして、この代数Ｖと「大当たり数値」とが一致しない場合には、「ハズレ」と判定して、第一種始動口１９への入賞を待つ（Ｓ１５：ＮＯ）。
【００５６】
一方、この代数Ｖと「大当たり数値」とが一致した場合には、「大当たり」が発生したと判定して（Ｓ１５：ＹＥＳ）、Ｓ１６において、ＲＡＭ２７の開放カウンタ２７Ｃから開放カウント値Ｎを読み出し、この開放カウント値Ｎに「１」を代入して再度開放カウンタ２７Ｃに記憶する。
【００５７】
続いて、Ｓ１７において、主入賞口６１の扉６１Ａ及び従入賞口６２の扉６２Ａが、ソレノイド駆動回路３２、第１ソレノイド７５及び第２ソレノイド７６を介して開放される。また、ＣＰＵ２１は、第１カウントスイッチ６６又は第２カウントスイッチ６７から入賞球の通過信号が入力された場合には、ＲＡＭ２７の入賞カウンタ２７Ｂから入賞カウント値Ｃを読み出し、この入賞カウント値Ｃに「１」加算して再度入賞カウンタ２７Ｂに記憶する処理を開始する。また、ＣＰＵ２１は、クロック回路３０からの入力信号に基づいて主入賞口６１及び従入賞口６２の開放後の経過時間測定処理を開始する。
【００５８】
次に、Ｓ１８において、従入賞口６２内のＶゾーン６５への入賞があるか否か判定する。即ち、Ｖゾーン通過スイッチ６５Ａからパチンコ球の通過検出信号が入力されたか否か判定する。そして、Ｖゾーン６５に入賞していない場合は（Ｓ１８：ＮＯ）、Ｓ１９において、主入賞口６１及び従入賞口６２の開放後の経過時間が、所定時間（第３実施形態では、「約３０秒」）に達しているか否か判定し、所定時間に達している場合には（Ｓ１９：ＹＥＳ）、Ｓ２７において、ソレノイド駆動回路３２、第１ソレノイド７５及び第２ソレノイド７６を介して主入賞口６１の扉６１Ａ及び従入賞口６２の扉６２Ａを閉じて、「大当たり」を終了する。これにより、Ｖゾーン２４に入賞しない場合に（Ｓ１８：ＮＯ）、主入賞口６１及び従入賞口６２を開放してから所定時間が経過した場合には（Ｓ１９：ＹＥＳ）、主入賞口６１及び従入賞口６２が閉じられると共に「大当たり」が終了する（Ｓ２７）。
【００５９】
また、主入賞口６１及び従入賞口６２の開放後の経過時間が、所定時間（第３実施形態では、「約３０秒」）に達していない場合には（Ｓ１９：ＮＯ）、Ｓ２０において、主入賞口６１と従入賞口６２とに入賞した入賞球の合計個数が１０個に達したか否か判定する。即ち、ＲＡＭ２７の入賞カウンタ２７Ｂから入賞カウント値Ｃを読み出し、この入賞カウント値Ｃが１０以上か否か判定する。
【００６０】
そして、主入賞口６１と従入賞口６２とに入賞した入賞球の合計個数が１０個に達していない場合には（Ｓ２０：ＮＯ）、再度Ｓ１７以降の処理を実行する。
また、主入賞口６１と従入賞口６２とに入賞した入賞球の合計個数が１０個に達した場合には（Ｓ２０：ＹＥＳ）、Ｓ２７において、ソレノイド駆動回路３２、第１ソレノイド７５及び第２ソレノイド７６を介して主入賞口６１の扉６１Ａ及び従入賞口６２の扉６２Ａを閉じて、「大当たり」を終了する。これにより、所定時間内にＶゾーン６５に入賞しない場合に（Ｓ１８：ＮＯ、Ｓ１９：ＮＯ）、主入賞口６１と従入賞口６２とに入賞した入賞球の合計個数が１０個に達すると（Ｓ２０：ＹＥＳ）、「大当たり」が終了する（Ｓ２５）。
【００６１】
一方、従入賞口６２内のＶゾーン６５に入賞した場合には（Ｓ１８：ＹＥＳ）、Ｓ２１において、ＣＰＵ２１は、ソレノイド駆動回路３２、第１ソレノイド７５及び第２ソレノイド７６を介して主入賞口６１の扉６１Ａ及び従入賞口６２の扉６２Ａを閉じる。そして、ＲＡＭ２７の入賞カウンタ２７Ｂに記憶されている入賞カウント値Ｃを読み出し、この入賞カウント値Ｃに「０」を代入して再度入賞カウンタ２７Ｂに記憶する。即ち、入賞カウンタ２７Ｂを初期化する。
【００６２】
また、Ｓ２２において、ＣＰＵ２１は、ＲＡＭ２７の開放カウンタ２７Ｃから開放カウント値Ｎを読み出し、この開放カウント値Ｎに「１」加算して再度開放カウンタ２７Ｃに記憶する。これにより、従入賞口６２内のＶゾーン６５に入賞した場合には（Ｓ１８：ＹＥＳ）、主入賞口６１と従入賞口６２とに入賞した入賞球の合計個数が１０個に達していない場合でも（Ｓ２０：ＮＯ）、主入賞口６１の扉６１Ａ及び従入賞口６２の扉６２Ａは閉じられて（Ｓ２１）、その回の主入賞口６１及び従入賞口６２の開放処理が終了し、「大当たり」における主入賞口６１及び従入賞口６２の開放が１回行われたものとみなされる（Ｓ２２）。
【００６３】
次に、Ｓ２３において、ＣＰＵ２１は、ＲＡＭ２７の開放カウンタ２７Ｃから開放カウント値Ｎを読み出し、この開放カウント値Ｎが「１６」か否か判定する。そして、この開放カウント値Ｎが「１６」でない場合には（Ｓ２３：ＮＯ）、再度、Ｓ１７以降の処理を実行する。これにより、次の回の主入賞口６１及び従入賞口６２の開放処理が行われる。
【００６４】
また、開放カウンタ２７Ｃから読み出した開放カウント値Ｎが「１６」の場合には（Ｓ２３：ＹＥＳ）、Ｓ２４において、主入賞口６１の扉６１Ａ及び従入賞口６２の扉６２Ａが、ソレノイド駆動回路３２、第１ソレノイド７５及び第２ソレノイド７６を介して開放される。
【００６５】
続いて、Ｓ２５において、主入賞口６１及び従入賞口６２の開放後の経過時間が、所定時間（第３実施形態では、「約３０秒」）に達しているか否か判定し、所定時間に達している場合には（Ｓ２５：ＹＥＳ）、Ｓ２７において、ソレノイド駆動回路３２、第１ソレノイド７５及び第２ソレノイド７６を介して主入賞口６１の扉６１Ａ及び従入賞口６２の扉６２Ａを閉じて、「大当たり」を終了する。これにより、主入賞口６１及び従入賞口６２を開放してから所定時間が経過した場合には（Ｓ１９：ＹＥＳ）、主入賞口６１及び従入賞口６２が閉じられると共に「大当たり」が終了する（Ｓ２７）。
【００６６】
また、主入賞口６１及び従入賞口６２の開放後の経過時間が、所定時間（第１実施形態では、「約３０秒」）に達していない場合には（Ｓ２５：ＮＯ）、Ｓ２６において、主入賞口６１と従入賞口６２とに入賞した入賞球の合計個数が１０個に達したか否か判定する。即ち、ＲＡＭ２７の入賞カウンタ２７Ｂから入賞カウント値Ｃを読み出し、この入賞カウント値Ｃが１０以上か否か判定する。
【００６７】
そして、主入賞口６１と従入賞口６２とに入賞した入賞球の合計個数が１０個に達していない場合には（Ｓ２６：ＮＯ）、再度Ｓ２４以降の処理を実行する。
また、主入賞口６１と従入賞口６２とに入賞した入賞球の合計個数が１０個に達している場合には（Ｓ２６：ＹＥＳ）、Ｓ２７において、ソレノイド駆動回路３２、第１ソレノイド７５及び第２ソレノイド７６を介して主入賞口６１の扉６１Ａ及び従入賞口６２の扉６２Ａを閉じて、「大当たり」を終了する。これにより、「大当たり」が発生した場合には、主入賞口６１及び従入賞口６２は各々最大１６回開放される。また、主入賞口６１及び従入賞口６２の１６回目の開放の場合には、主入賞口６１及び従入賞口６２は、Ｖゾーン６５に入賞しても所定時間経過するか１０個入賞するまで閉じられない。
【００６８】
以上詳細に説明した通り第３実施形態に係るパチンコ機では、主入賞口６１の右側に従入賞口６２が設けられ、この従入賞口６２内の左右水平方向のほぼ中央部にＶゾーン６５が形成されている。また、このＶゾーン６５は、上方からのみ入賞するように形成されている。そして、各釘６８、６９によりパチンコ球が、右斜め上方向から従入賞口６２に転動落下できるように構成されている。即ち、各釘６８、６９によりパチンコ球が、右斜め上方向からＶゾーン６５の入口に転動落下できるように構成されている。
また、「大当たり」時において、主入賞口６１及び従入賞口６２の開放中に従入賞口６２内のＶゾーン６５に入賞しない状態で、所定時間経過するか主入賞口６１と従入賞口６２とに入賞した入賞球の合計個数が１０個に達した場合には、「大当たり」は終了する（Ｓ１５：ＹＥＳ〜Ｓ１８：ＮＯ、Ｓ１９〜Ｓ２０：ＹＥＳ、Ｓ２７）。また、主入賞口６１及び従入賞口６２の開放中に従入賞口６２内のＶゾーン６５に入賞した場合には、主入賞口６１及び従入賞口６２を閉じてその回の開放を終了して、次の回の主入賞口６１及び従入賞口６２の開放を行う（Ｓ１５：ＹＥＳ〜Ｓ１８：ＹＥＳ〜Ｓ２３：ＮＯ）。さらに、主入賞口６１及び従入賞口６２の１６回目の開放においては、Ｖゾーン６５に入賞しても、所定時間経過するか主入賞口６１と従入賞口６２とに入賞した入賞球の合計個数が１０個に達するまで、主入賞口６１と従入賞口６２とは開放されて「大当たり」は終了する。（Ｓ２３：ＹＥＳ〜Ｓ２７）。
【００６９】
従って、主入賞口６１及び従入賞口６２の開放後所定時間内に従入賞口６２内のＶゾーン６５に入賞した場合には、この入賞した時点で主入賞口６１と従入賞口６２とを閉成してその回の主入賞口６１と従入賞口６２との開放を終了し、次の回の主入賞口６１と従入賞口６２との開放をするように制御されるため、遊技者は、主入賞口６１及び従入賞口６２の開放後所定時間内において、主入賞口６１に所定個数入賞するまでは左上方向又は真上方向からパチンコ球が転動落下するように発射ハンドル６を操作し、その後は、各釘６８、６９により従入賞口６２内のＶゾーン６５への入賞が阻害されない右上方向からパチンコ球が転動落下するように発射ハンドル６を操作する必要があるため、遊技者の技量により出球の獲得量に大きな差が生じて、従来にない遊技の態様を実現することができる。また、遊技者は、技量の向上と共に多くの出球を獲得することができるため、多くの出球獲得に対して大きな達成感を味わうことができ、遊技者の興味をより強く引きつけ興趣を増大させることができる。更に、遊技店においては、従入賞口６２内のＶゾーン６５に入賞した場合には、この入賞した時点で主入賞口６１と従入賞口６２とが閉成されてその回の開放が終了し、次の回の開放が開始されるように制御されて、遊技者の技量によっては「大当たり」時の獲得出球が少なくなるため、釘調整によって「大当たり」の発生確率を高くすることができ、遊技者に楽しんでもらいながら、出球を多くし、且つ遊技意欲を向上させて多くの遊技者に来店してもらうことで、遊技店の全体利益を多くし、結局、両者の利益バランスを図ることができる。
また、遊技領域に打設される各釘６８、６９によって従入賞口６２内のＶゾーン６５への入賞が阻害されるように構成されているため、簡単な構成となり、製造コストの削減化及び製品の信頼性の向上を図ることができる。
【００７０】
尚、本発明は前記実施形態に限定されるものではなく、本発明の要旨を逸脱しない範囲内で種々の改良、変形が可能であることは勿論である。例えば、以下のようにしてもよい。
（ａ）前記第１及び第２実施形態では、Ｖゾーン２４を大入賞口１７の左右水平方向の右端縁部に形成したが、Ｖゾーン２４を大入賞口１７の左右水平方向の左端縁部に形成する構成にしてもよい。この場合には、Ｖゾーン２４の左端部と右端部の各々の上側から左斜め上方向に各々釘を打設して、パチンコ球が１個だけ、左斜め上方向からＶゾーン２４の入口に転動落下できるように構成してもよい。
（ｂ）前記第３実施形態では、Ｖゾーン６５を従入賞口６２内の左右水平方向のほぼ中央部に設けたが、Ｖゾーン６５を従入賞口６２の左右水平方向の左端縁部又は右端縁部に設ける構成にしてもよい。
（ｃ）前記第３実施形態では、Ｖゾーン６５を従入賞口６２内に設けたが、主入賞口６１内に設ける構成にしてもよい。この場合には、主入賞口６１の右端部の上側から左上方向に釘を打設して、主入賞口６１への真上方向及び右上方向からの入賞を阻害する構成にしてもよい。
【００７１】
【発明の効果】
以上詳細に説明した通り請求項１に係るパチンコ機では、一定条件下で開放される変動入賞装置は大入賞口から構成され、この大入賞口内の左右水平方向の右端縁部には、この変動入賞装置の開放回数を継続するための特別入賞口が設けられている。また、この特別入賞口の上側には、左上方向及び真上方向からのパチンコ球の入賞を阻む入賞阻害手段が設けられている。そして、特別入賞口に入賞した場合には、この入賞した時点で変動入賞装置が閉成されてその回の開放を終了し、次の回の開放をするように制御される。
これにより、遊技者は、大入賞口に所定個数入賞するまでは前記特別入賞口の左上方向又は真上方向からパチンコ球が転動落下するように発射ハンドルを操作し、その後は、該特別入賞口の右上方向からパチンコ球が転動落下するように発射ハンドルを操作する必要があるため、遊技者の技量により出球の獲得量に大きな差が生じて、従来にない遊技の態様を実現することができるパチンコ機を提供することができる。また、遊技者は、技量の向上と共に多くの出球を獲得することができるため、多くの出球獲得に対して大きな達成感を味わうことができ、遊技者の興味をより強く引きつけ興趣を増大させることができるパチンコ機を提供することができる。また、遊技店においては、特別入賞口に入賞した場合には、この入賞した時点で変動入賞装置を閉成してその回の開放を終了し、次の回の開放をするように制御されて、遊技者の技量によっては「大当たり」時の獲得出球が少なくなるため、釘調整によって「大当たり」の発生確率を高くすることができ、遊技者に楽しんでもらいながら、出球を多くし、且つ遊技意欲を向上させて多くの遊技者に来店してもらうことで、遊技店の全体利益を多くし、結局、両者の利益バランスを図ることができるパチンコ機を提供することができる。
【００７２】
また、請求項２に係るパチンコ機では、一定条件下で開放される変動入賞装置は、主入賞口と、主入賞口の左右水平方向の右側に設けられて該主入賞口の開閉に合わせて開閉される従入賞口とから構成されている。また、この従入賞口の内部には、主入賞口及び従入賞口の開放回数を継続するための特別入賞口が設けられている。また、この特別入賞口の上側には、左上方向及び真上方向からのパチンコ球の入賞を阻む入賞阻害手段が設けられている。そして、特別入賞口に入賞した場合には、この入賞した時点で主入賞口及び従入賞口が閉成されてその回の開放を終了し、次の回の開放をするように制御される。
これにより、遊技者は、主入賞口に所定個数入賞するまでは前記特別入賞口の左上方向又は真上方向からパチンコ球が転動落下するように発射ハンドルを操作し、その後は、該従入賞口の右上方向からパチンコ球が転動落下するように発射ハンドルを操作する必要があるため、遊技者の技量により出球の獲得量に大きな差が生じて、従来にない遊技の態様を実現することができるパチンコ機を提供することができる。また、遊技者は、技量の向上と共に多くの出球を獲得することができるため、多くの出球獲得に対して大きな達成感を味わうことができ、遊技者の興味をより強く引きつけ興趣を増大させることができるパチンコ機を提供することができる。また、遊技店においては、特別入賞口に入賞した場合には、この入賞した時点で主入賞口及び従入賞口を閉成してその回の開放を終了し、次の回の開放をするように制御されて、遊技者の技量によっては「大当たり」時の獲得出球が少なくなるため、釘調整によって「大当たり」の発生確率を高くすることができ、遊技者に楽しんでもらいながら、出球を多くし、且つ遊技意欲を向上させて多くの遊技者に来店してもらうことで、遊技店の全体利益を多くし、結局、両者の利益バランスを図ることができるパチンコ機を提供することができる。
【００７３】
また、請求項３に係るパチンコ機では、請求項１又は請求項２に記載のパチンコ機において、入賞阻害手段は、遊技領域に打設される釘によって構成されているため、簡単な構成となり、製造コストの削減化及び製品の信頼性の向上を図ることができるパチンコ機を提供することができる。
【００７４】
更に、請求項４に係るパチンコ機では、請求項１乃至請求項３のいずれかに記載のパチンコ機において、入賞阻害手段は、構造物により構成されるため、構成が簡単になり、製造コストの削減化及び製品の信頼性の向上を図ることができるパチンコ機を提供することができる。
【図面の簡単な説明】
【図１】
第１実施形態に係るパチンコ機の全体を示した正面図である。
【図２】
第１実施形態に係るパチンコ機の大入賞口が開放された場合における、この大入賞口への入賞球の経路の一例を示す要部を拡大した正面図である。
【図３】
第１実施形態に係るパチンコ機の制御回路部のシステム構成を示すブロック図である。
【図４】
第１実施形態に係るパチンコ機の「大当たり」時における大入賞口の開放制御処理を示すフローチャートである。
【図５】
第２実施形態に係るパチンコ機の大入賞口が開放された場合における、この大入賞口への入賞球の経路の一例を示す要部を拡大した正面図である。
【図６】
第３実施形態に係るパチンコ機の主入賞口及び従入賞口が開放された場合における、各主入賞口及び従入賞口への入賞球の経路の一例を示す要部を拡大した正面図である。
【図７】
第３実施形態に係るパチンコ機の制御回路部のシステム構成を示すブロック図である。
【図８】
第３実施形態に係るパチンコ機の「大当たり」時における主入賞口及び従入賞口の開放制御処理を示すフローチャートである。
【符号の説明】
１  パチンコ機
６  発射ハンドル
１７  大入賞口
１７Ａ、６１Ａ、６２Ａ  扉
１９  第一種始動口
２０  制御回路部
２１  ＣＰＵ
２２  第一種始動口スイッチ
２３  カウントスイッチ
２４、６５  Ｖゾーン
２４Ａ、６５Ａ  Ｖゾーン通過スイッチ
２７  ＲＡＭ
３２  ソレノイド駆動回路
３６  ソレノイド
４０Ａ、４０Ｂ  釘
４１〜４４、５１〜５４、７１〜７４  パチンコ球
４８、４９Ｂ、５０  釘
４７Ｃ  案内リブ
６１  主入賞口
６１Ａ  第１カウントスイッチ
６２  従入賞口
６２Ａ  第２カウントスイッチ
６８、６９  釘
７５  第１ソレノイド
７６  第２ソレノイド